(57)【要約】  同一画面に表示できる試薬数を減少することなく、試薬管理に必要な情報を表示し、試薬情報の閲覧性を向上した自動分析装置が実現される。第１画面上で１試薬当たりの表示項目数、表示するテキスト量を限定することにより表示面積を圧縮するとともに、各試薬をマトリックス状に配置して表示することにより１画面当たりに表示できる試薬管理項目を拡大する。試薬管理項目の各表示領域をボタンとし、そのボタンを選択することにより対象の試薬の詳細情報表示画面を表示する。
2019198445.tif 000002
【特許請求の範囲】
【請求項１】
試薬を収容する複数の試薬容器を保持する試薬容器保管部と、
試薬と検体とを反応容器に分注する分注機構と、
前記反応容器に収容された前記試薬と前記検体との反応液の特性を測定する測定部と、
表示部と、
前記試薬容器保管部に保持された複数の前記試薬容器の保持位置情報及び複数の前記試薬容器に収容された試薬の管理情報を記憶し、前記表示部に表示させる制御部と、
を備え、前記制御部は、前記試薬容器保管部に保持された複数の前記試薬容器のそれぞれの保持位置に対応して、複数の前記試薬容器のそれぞれに収容された試薬の管理情報を表示する複数の試薬管理項目表示領域をマトリックス状に配置した第１画面を前記表示部に表示させることを特徴とする自動分析装置。
【請求項２】
請求項１に記載の自動分析装置において、
前記第１画面で表示された前記複数の試薬管理項目表示領域のそれぞれには、前記試薬容器の保持位置情報を含む複数の表示領域を有することを特徴とする自動分析装置。
【請求項３】
請求項２に記載の自動分析装置において、
前記複数の表示領域は、前記試薬容器の保持位置情報、試薬残量、分析項目名称、試薬の状態に関する情報のうちのいずれかを表示することを特徴とする自動分析装置。
【請求項４】
請求項２に記載の自動分析装置において、
前記管理情報を表示する文字若しくは数字の色、または前記表示領域の背景色を、前記試薬の管理情報に応じて、予め設定した表示色とすることを特徴とする自動分析装置。
【請求項５】
請求項３に記載の自動分析装置において、
前記第１画面は、予め定めた種類の試薬を選択する選択ボタンを有し、前記選択ボタンにより選択された種類の試薬の試薬管理項目表示領域のみ、前記試薬容器の保持位置情報、試薬残量、分析項目名称、試薬の状態に関する情報を表示し、
前記選択ボタンにより選択されていない種類の試薬の試薬管理項目表示領域は、前記試薬容器の保持位置情報に関する情報のみ表示することを特徴とする自動分析装置。
【請求項６】
請求項１から５のうちのいずれか一項に記載の自動分析装置において、
前記第１画面の前記複数の試薬管理項目表示領域のそれぞれは、表示画面切替えのためのボタン機能を有し、前記複数の試薬管理項目表示領域のうちの選択された試薬管理項目表示領域の前記ボタン機能により、前記選択された試薬管理項目表示領域の試薬の詳細情報を表示する第２画面が前記第１画面から切り替り表示されることを特徴とする自動分析装置。
【請求項７】
請求項６に記載の自動分析装置において、
前記第２画面は、前記第１画面の前記ボタン機能により、前記選択された試薬管理項目表示領域の試薬と組み合わせて使用する試薬情報も、表示されることを特徴とする自動分析装置。
【発明の詳細な説明】
【技術分野】
【０００１】
本発明は、血液、尿等の生体試料の定性・定量分析を行なう自動分析装置に関する。
【背景技術】
【０００２】
近年、自動分析装置で測定できる項目の増加に伴い、自動分析装置に搭載できる試薬設置数も増えてきており、画面上に表示される試薬情報が増加している。さらに処理能力の増加に伴い、試薬交換や追加の作業頻度が増加している。その一方、作業の対象となる画面の多岐化により画面遷移の時間や手間（クリック動作）がかかるため、操作性の向上が望まれている。【０００３】
特許文献１に記載の技術では、各試薬に関する情報を表形式の表示として、１試薬あたりの情報を１行に表示している。【０００４】
また、特許文献２に記載の技術では、試薬ディスク上の試薬保持領域への試薬配置に対応して、円盤状の画面に試薬情報を表示している。
【先行技術文献】
【特許文献】
【０００５】
【特許文献１】ＷＯ０１／０６７１１３号公報
【特許文献２】ＷＯ１５／１８６４４６号公報
【発明の概要】
【発明が解決しようとする課題】
【０００６】
しかしながら、特許文献１に記載の技術は、画面に表示され得る行数が同時に１画面に表示し得る試薬数であり、それ以上表示できる試薬数を増加することが困難であった。【０００７】
また、特許文献２に記載の技術では、全試薬の情報を一画面で表示する場合、試薬の配置を模して表示する方法が一例として示されているが、各試薬で必要とする量の文字情報を表示することが困難で、選択した試薬について拡大表示を行うなど、同時一括表示の機能を制限する必要があった。【０００８】
本発明の目的は、上記従来技術の問題を解決し、同一画面に表示できる試薬数を減少することなく、試薬管理に必要な情報を表示し、試薬情報の閲覧性を向上した自動分析装置を実現することである。
【課題を解決するための手段】
【０００９】
上記目的を達成するために、本発明は次のように構成される。【００１０】
自動分析装置において、試薬を収容する複数の試薬容器を保持する試薬容器保管部と、試薬と検体とを反応容器に分注する分注機構と、前記反応容器に収容された前記試薬と前記検体との反応液の特性を測定する測定部と、表示部と、前記試薬容器保管部に保持された複数の前記試薬容器の保持位置情報及び複数の前記試薬容器に収容された試薬の管理情報を記憶し、前記表示部に表示させる制御部と、を備え、前記制御部は、前記試薬容器保管部に保持された複数の前記試薬容器のそれぞれの保持位置に対応して、複数の前記試薬容器のそれぞれに収容された試薬の管理情報を表示する複数の試薬管理項目表示領域をマトリックス状に配置した第１画面を前記表示部に表示させる。
【発明の効果】
【００１１】
本発明によれば、同一画面に表示できる試薬数を減少することなく、試薬管理に必要な情報を表示し、試薬情報の閲覧性を向上した自動分析装置を実現することができる。
【図面の簡単な説明】
【００１２】
【図１】本発明の実施例が適用される自動分析装置の概略構成図である。
【図２】本発明の実施例１における生化学分析装置の試薬管理項目を一覧表示した画面（第１画面）を示す図である。
【図３】実施例１の第１画面における試薬管理項目の詳細説明図である。
【図４】図２に示した試薬管理項目のうちの一つの試薬に関する表示領域を拡大して示す図である。
【図５】図２における試薬状況表示に表示する表示色の例を記載した表を示す図である。
【図６】各試薬の状態に応じて変化させる試薬管理項目の背景色を記載した表を示す図である。
【図７】実施例１における対象試薬の詳細表示画面（第２画面）を示す図である。
【図８】実施例２における免疫分析装置についての第１画面を示す図である。
【図９】図８に示した試薬管理項目のうちの一つの試薬に関する表示領域を拡大して示す図である。
【図１０】実施例２における対象試薬の詳細表示画面（第２画面）を示す図である。
【発明を実施するための形態】
【００１３】
以下、本発明の実施形態について添付図面を参照して説明する。
【実施例】
【００１４】
（実施例１）
図１は、本発明の実施例が適用される自動分析装置の概略構成図である。【００１５】
図１において、自動分析装置は、イオン選択電極を用いて検体中の電解質濃度を測定するＩＳＥ分析装置８と、検体と試薬を反応ディスク１４上に架設された反応容器４２内で混合・反応させ、検体と試薬との反応液の吸光度を光源４３からの光を用いて光度計４４で測定して検体中の生化学成分の分析を行う生化学分析装置９と、インキュベータ２１上に架設された反応容器４５内で試薬と検体とを混合・反応させ、ホルモン等の血液中の微量成分を高感度分析するための免疫分析装置１６とを備える。【００１６】
自動分析装置は、さらに、上記分析装置８、９及び１６に検体を供給するために検体ラック３を供給する検体ラック供給部６と、検体ラック供給部６から分析装置８、９および１６に検体ラック３を供給する検体搬送ライン４及び５と、測定終了後の検体ラック３を収納する検体ラック収納部７と、さらにそれらを制御するための制御部とを備える。【００１７】
制御部は、制御用ＰＣ１、ＩＳＥ分析装置８が有するコンピュータ５−１、生化学分析装置９が有するコンピュータ９−１及び免疫分析装置１６が有するコンピュータ１６−１から構成される。制御用ＰＣ１はモニタ（表示部）２を備えている。【００１８】
なお、コンピュータ５−１、９−１、１６−１は、図示の関係で、各分析装置８、９、１６の外部に配置されているように示したが、各分析装置８、９、１６に内蔵されている。【００１９】
検体ラック供給部６は患者検体を収容した検体容器４６が複数保持された検体ラック３を、検体搬送ライン４を介して分析装置８、９、１６に供給し、各分析装置８、９、１６は供給された検体ラック３上の検体容器４６から検体プローブ１３あるいは検体プローブ２０によって検体を吸引して分析処理を実施する。その後、検体ラック３は検体ライン５上を搬送されて検体ラック収納部７に収納される。【００２０】
次に、生化学分析装置９と免疫分析装置１６の分析動作の概要について説明する。このうち生化学分析装置９では上述の通り試薬と検体からなる反応液の吸光度を分析するが、検体ラック３に載置された検体容器４６が分注される順番に従って検体プローブ１３の下まで移動し、検体プローブ１３により検体が吸引され、反応容器４２に所定量分注される。【００２１】
検体が分注された反応容器４２が架設された反応ディスク１４は、一定温度に制御された反応槽中を回動可能に配置されており、反応容器４２を試薬添加位置まで移動させ、試薬プローブ１２により試薬容器１５から吸引された試薬が所定量加えられる。試薬添加後の反応容器４２は、反応ディスク１４上の攪拌位置まで移動し、攪拌が行われる。複数回の試薬の添加がある場合、上記のような試薬の添加−攪拌がさらに行われる。【００２２】
検体・試薬の混合物が攪拌された反応容器４２は光源４３から発した光束中を通過し、通過時の吸光度が光度計４４により測定される。光源４３と光度計４４とにより反応液の特性を測定する測定部が形成される。測定された吸光度は、検体測定前に作成した検量線を基に対象とする分析項目の成分濃度が求められる。
測光の終了した反応容器４２は、やはり反応ディスク１４の近傍に配置されている反応容器４２の洗浄位置まで移動し、反応容器４２内の液が排出される。さらに反応容器４２は洗剤で洗浄後に水で洗浄され、次の分析に使用される。【００２３】
試薬を収容した試薬容器１５は試薬の保管温度に温度管理された試薬ディスク１０（試薬保管部）上に着脱自在に保持・収納されている。また、液体の吸引吐出を行う移動可能な試薬プローブ１２を備える分注機構と、回動可能な試薬ディスク１０とにより任意の試薬を吸引し、反応容器４２に吐出することを可能にしている。なお、試薬容器１５の保持・収納の手段はディスク型に限定されず、試薬容器１５を一列以上の列に配置したシリアル方式、もしくはマトリックス方式でも良い。【００２４】
本実施例１の生化学分析装置９では、試薬ディスク１０上の試薬の自動交換のためのオートローダ１１を備えており、分析動作を中断させずに試薬ディスク１０上の試薬容器１５を排出、および新規に使用する試薬容器１５を試薬ディスク１０上に収納することが可能である。【００２５】
一方、免疫分析装置１６でも、生化学分析装置９と同じく分注機構（試薬プローブ１９、検体プローブ２０）と試薬ディスク１７（試薬容器保管部）との組み合わせにより任意の試薬をインキュベータ２１上の反応容器４５に吐出することと、さらにオートローダ１８による分析動作中の試薬容器２２の交換が可能なように構成されている。【００２６】
免疫分析では反応容器４５への検体と試薬の分注と混合により反応液を作成し、反応容器４５を一定温度に制御されたインキュベータ２１上に所定時間載置することで反応を進展させる。【００２７】
その後、反応液を反応容器４５から抽出して検出部２３に移送し、反応液中で発光標識と結合している対象物質の成分濃度を、標識の発光を検出する（測定する）ことによりもとめる。検出部２３は反応液の特性を測定する測定部を形成する。【００２８】
本実施例１の免疫分析装置１６では、発光を検出するための検出部２３は独立して検出処理を実施可能な検出ユニットを２チャンネル備えており、後述する試薬管理項目で扱う情報の中に各検出ユニット別に管理される項目が含まれることがある。【００２９】
ＩＳＥ分析装置８、生化学分析装置９、免疫分析装置１６ではそれぞれ異なる分析用試薬を使用しており、試薬の収納は各装置８、９、１６とも個別に行う一方、分析用試薬の情報の管理、表示は制御用ＰＣ１で行っている。【００３０】
制御用ＰＣ１が管理しなければならない分析用試薬の情報（以下、試薬管理項目と記載）としてどのようなものがあるかについて、以下に説明する。なお、以下の試薬管理項目は必ずしも全ての情報を含むわけではなく少なくとも以下の１つの項目である。【００３１】
まず、その試薬を使用して行う分析項目、試薬容器１５、２２に収容されている試薬の個体ＩＤ、製造時のロットＩＤ、さらに製造日時と使用有効期限などが挙げられ、分析項目によっては複数の試薬の組み合わせを必要とすることから、その場合には組み合わせの相手となる試薬の分析項目が含まれる。他に、その試薬容器１５、２２に収容している試薬の液量があるが、これは使用時点での残量と初期時点での収容量であり、体積、重量、もしくは分析回数（テスト数）のいずれかで管理される。【００３２】
これら試薬管理項目は個別の試薬容器１５、２２に付属する書替え可能、もしくは読出し専用の記憶媒体に記憶されているか、あるいは試薬ディスク１０、１７上に収納されている全試薬の情報を一括して制御用ＰＣ１が記憶する（制御用ＰＣ１が有する記憶手段に記憶して管理される）。制御用ＰＣ１に記憶される試薬管理項目には、その試薬を収容する試薬容器１５、２２が保持されている位置情報、およびその試薬の状態に関する情報が含まれる。試薬容器１５、２２は分析装置へ搬入される際、試薬容器１５、２２に付された記憶媒体から試薬管理項目が読み込まれて制御部１、５−１、９−１、１６−１に転送され、試薬ディスク１０、１７上の他の試薬容器１５、２２の試薬管理項目に関する情報と合わせて一括管理される。【００３３】
次に、本発明の実施例１における試薬管理項目の表示について、図２から４を用いて説明する。図２は、実施例１における生化学分析装置９の複数の試薬管理項目表示領域２８を制御用ＰＣ１のモニタ２の表示画面１００に一覧表示した画面（第１画面）を示す図である。表示画面の名称は、表示画面名称領域２４に表示された“Ｏｖｅｒｖｉｅｗ” （一覧表示画面）である。図２において、各試薬管理項目表示領域２８は、試薬容器保持部である試薬ディスク１０に保持された試薬容器１５の位置に対応する番号順に、ｎ行ｍ列（ｎ、ｍは２以上の整数）のマトリックス状に配置され、表示される。【００３４】
図２に示した第１画面では、試薬管理項目表示領域２８の表示領域のほかに表示する試薬を分析装置ごとに指定する分析モジュール選択表示領域（分析装置選択表示領域）２５、分析モジュール（分析装置）を選択するための分析モジュール選択ボタン２５−１、表示する試薬の種別を表示する試薬種別選択表示領域２６、試薬の種別を選択するための試薬種別選択ボタン２６−１、さらに表示する試薬をその状態でフィルタし、表示／非表示を指定するための試薬フィルタ表示領域２７、試薬フィルタ表示領域選択ボタン２７−１を備えている。【００３５】
上記選択ボタン２５−１、２６−１、２７−１を制御ＰＣ１が有するマウスの操作、もしくはモニタ２のタッチパネルを介して操作することにより選択候補のリストを表示させ、その中から選択指示することができる。【００３６】
図３は、実施例１の第１画面における複数の試薬管理項目表示領域２８の詳細説明図であり、各表示領域２５、２６、２７の選択候補例を記載した表１を示す図である。また、図４は、図２に示した試薬管理項目表示領域２８のうちの一つの試薬に関する表示領域を拡大して示した図である。【００３７】
図３において、例として、試薬フィルタ表示領域２７の欄に示した表示項目（Ａｌｌ、Ｃａｌｉｂｒａｔｉｏｎ  Ｒｅｑｕｅｓｔ、ＱＣ  Ｒｅｑｕｅｓｔ、Ｒｅｑｕｉｒｅｄ  Ａｃｔｉｏｎ）のうちのいずれかを選択すると、表示対象以外の試薬（予め定めた種類の試薬）に関する表示領域２８では、図４に示した試薬ポジション表示領域２８−１以外の項目（試薬残量表示領域２８−２、テスト名表示領域２８−３、リコメンド２８−４）を非表示にできる。【００３８】
図２に示した第１画面では、他に試薬に関連する状況表示のための表示領域として試薬状況表示３０が表示される。試薬状況表示３０には本実施例１が備える各分析装置、Ｍｏｄｕｌｅ−Ａ（ＩＳＥ分析装置）、Ｍｏｄｕｌｅ−Ｂ（生化学分析装置）、Ｍｏｄｕｌｅ−Ｃ（免疫分析装置）で使用する試薬容器の形状を模したアイコンが表示されており（図２では左からＭｏｄｕｌｅ−Ａ（ＩＳＥ分析装置）、Ｍｏｄｕｌｅ−Ｂ（生化学分析装置）、Ｍｏｄｕｌｅ−Ｃ（免疫分析装置）の順に表示している）、各分析装置が保持する試薬の状況についてアイコンの表示色で示している。図５は、試薬状況表示３０に表示する表示色の例を記載した表２を示す図である。【００３９】
複数の試薬に関する試薬管理項目表示領域２８のそれぞれは、図４に示すように次の４つの項目で構成されている。まず、試薬容器１５の保持されている試薬ディスク１０上の位置を示す「試薬ポジション」表示領域２８−１、試薬の現時点での残量を示す「試薬残量」表示領域２８−２、分析項目を示す「テスト名」表示領域２８−３、さらに現状の試薬の状態に関する情報、もしくはその試薬状態に対して推奨されるアクションを示す「リコメンド」表示領域（試薬の状態に関する情報表示領域）２８−４である。【００４０】
上記項目のうち「試薬ポジション」２８−１欄は試薬ディスク１０の試薬容器保持位置に対して順に付されている一連番号に対応付けられており、本実施例１の試薬ディスク１０では６０箇所の試薬容器保持位置を備えていることから、１から６０までの数字が割り当てられている。【００４１】
次に、「残量」２８−２の欄は対象の試薬の残量を液量（ｍＬ）、もしくは残テスト数のいずれかで表示される。どちらで表示されるかは、液量であれば単位である「ｍＬ」の表示と一緒に表示され、残テスト数であれば数字のみが表示されることで識別される。「テスト名」２８−３の欄の表示は分析項目の名称（図２中ではＥｃｏ−Ｄ、ＮａＯＨＤ、等を例示）を表示する。「リコメンド」２８−４欄には後述する、試薬が何らかの理由で使用制限がかかっている場合に、制限の理由、あるいは制限解除のためのアクションが記述されている。「リコメンド」２８−４欄に表示される使用制限の例としては、対象の試薬を使用して行う分析に他の試薬も組み合わせる必要のある場合に、組み合わせる相手の試薬が試薬ディスク１０上に存在しない場合、試薬の使用に当たって必要とされる、精度管理試料（コントロール）の測定、あるいは検量線の作成のための標準試料（キャリブレータ）の測定が未実施であった場合、などが挙げられ、それぞれの場合に、上記内容が「リコメンド」２８−４欄に略記される。【００４２】
これらの各試薬の管理項目の表示領域は、画面遷移のためのボタンとしての機能も備えており、その表示領域を選択（制御用ＰＣ１に接続したマウスによるクリック操作、キーボード上のキーを組み合わせた指示操作、あるいは表示がタッチパネルタイプのモニタ２に表示されている場合はタッチ操作など）することにより第１画面から切り替り、対象試薬の詳細表示画面（図７に示す第２画面）を表示する。図６は、各試薬の状態に応じて変化させる試薬管理項目表示領域２８の各領域の背景色を記載した表３を示す図である。図７は対象試薬の詳細表示画面（第２画面）を示す図である。【００４３】
図７に示した第２画面には画面終了（Ｃｌｏｓｅ）ボタン３７が表示されており、画面終了ボタン３７を選択することにより第１画面の表示に復帰する。【００４４】
また、上記各試薬管理項目表示領域２８は試薬の状態に応じて図６に示した表３に記載した背景色で表示され、さらに表示する文字または数字の表示色は有効期限切れの場合に赤色表示、また、試薬ポジションに試薬容器が存在しない場合には「試薬ポジション」２８−１のみ白抜きの数字で表示される。【００４５】
図２に示した排出予定試薬表示領域２９には、上記のオートローダ１１で排出される予定の試薬が表示される。本実施例１の生化学分析装置９では、オートローダ１１には５つの試薬容器１５を収納可能であるため、各表示領域には図２に示すように１から５までの試薬ポジション２８−１が表示されている。排出予定試薬表示領域２９内には試薬ポジションのほかに対象の試薬の「テスト名」が表示されるが、図示した例ではオートローダ１１内に収納中の試薬がないため、「テスト名」は空欄で、試薬ポジション２８−１が白抜きフォントで表示される。また、排出予定試薬表示領域２９は、試薬管理項目表示領域２８と同じく画面遷移のためのボタン機能を備えており、その表示領域を選択することにより対象試薬の第２画面を表示する。【００４６】
本実施例１では、試薬管理項目表示領域２８と排出予定試薬表示領域２９にはそれぞれ試薬ディスク１０上の試薬容器保持位置の数、もしくはオートローダ１１の試薬容器収納数分の表示領域が表示される一方、該当する位置に試薬がない場合、もしくは試薬フィルタ表示領域２７により表示対象外とされた項目については、試薬ポジション２８−１のみ白抜きフォントで表示し、表示位置は変更しないこととしている。ただし、別方式として上記の２つの例では試薬ポジション２８−１を含めて表示せず、表示対象の試薬の試薬管理項目表示領域２８、排出予定試薬表示領域２９のみを表示するようにしても良い。その場合には、非表示の試薬管理項目表示領域２８及び排出予定試薬表示領域２９では、表示スペースが生じるので、表示している試薬表示領域の間のスペースを詰めれば、表示スペースを圧縮することができる。【００４７】
第２画面は図７に示すように、選択された試薬の詳細情報（表示画面名称（詳細表示画面）３１）を表形式で表示したもので、画面内では指定された試薬の分析項目ごとの表示が分析項目別情報表示領域３２に表形式で表示される。また、分析項目によらず共通の情報は共通情報表示領域３３に表示される。【００４８】
分析項目別情報表示領域３２に表示される情報には分析項目名（Ｔｅｓｔ）、リコメンド情報（Ｒｅｃｏｍｍｅｎｄ）、試薬残量（Ｒｅｍａｉｎｉｇ）、キャリブレーション実施日時（Ｃａｌｉｂｒａｔｅｄ）、キャリブレーション方法（Ｃａｌｉｂｒａｔｉｏｎ  Ｔｙｐｅ）のいずれかが含まれる。【００４９】
また、共通情報表示領域３３には、試薬ポジション（Ｐｏｓｉｔｉｏｎ（２８−１と共通））、試薬種別カテゴリ（Ｃａｔｅｇｏｒｙ）、Ｌｏｔ番号（Ｌｏｔ）、有効期限（Ｅｘｐｉｒｙ  Ｄａｔｅ）、装置への収納・登録日（Ｆｉｒｓｔ  Ｒｅｇｉｓｔｒａｔｉｏｎ）等のうちのいずれかを表示する。【００５０】
第２画面には他に使用制限がかかっている試薬に関して、制限の詳細内容を表示する試薬マスク情報詳細表示領域３４を備えている。また、上記の画面終了ボタン３７と合わせてオートローダ１１により排出する試薬を選択するための排出試薬選択ボタン３５（Ｕｎｌｏａｄ）、ユーザにより試薬の使用制限のＯＮ／ＯＦＦを選択する試薬マスク選択ボタン３６（Ｒ．Ｐａｃｋ  Ｍａｓｋ）を配置しており、これらのボタンを、制御用ＰＣ１のマウス操作等で選択状態にすることにより上記処理を指示することができる。【００５１】
以上のように、本実施例１によれば、図２に示した第１画面上で１試薬当たりの表示項目数、表示するテキスト量を限定することにより表示面積を圧縮するとともに、各試薬をマトリックス状に配置して表示することにより１画面当たりに表示できる試薬管理項目を拡大することができる。【００５２】
さらに、試薬管理項目の各表示領域を選択ボタンとし、そのボタンを選択することにより対象の試薬の詳細情報表示画面（図７に示した第２画面）を表示することで、詳細情報を容易に入手することが可能であり、１画面に表示可能な試薬数の拡大と試薬管理に必要な詳細情報の入手とを両立させることができる。【００５３】
したがって、搭載している試薬を表示する際の、同一画面に表示できる試薬数を減らすことなく試薬管理に必要な情報を取得し、さらに状況に応じてより詳細な情報を得るための画面を円滑に表示することが可能な自動分析装置を実現することができる。【００５４】
（実施例２）
次に、第１画面の表示に関する実施例２について、図８から１０を用いて説明する。【００５５】
図８は、実施例２における免疫分析装置１６についての、第１画面を示す図であり、実施例１で説明した分析モジュール選択ボタン２５でＭｏｄｕｌｅ−Ｃ（免疫分析装置１６）を選択し、“Ｍｏｄｕｌｅ−Ｃ”を示す分析モジュール選択表示領域３８が表示された例の図である。また、図９は、図８に示した試薬管理項目のうちの一つの試薬に関する表示領域を拡大して示す図である。【００５６】
図８において、免疫分析装置１６における各試薬に関する試薬管理項目表示領域３９の表示のうち、「リコメンド」欄（図９に示すリコメンド表示領域（Ｃｈ１）３９−４、リコメンド表示領域（Ｃｈ２）３９−５）は、２つの領域に分けて表示される。これは、本実施例２の免疫分析装置１６が上述のように２つの検出ユニット（２チャンネルの検出ユニット）を備えていることに対応した表示領域の構成であり、「リコメンド」欄３９−４、３９−５の表示内容のうち、検出ユニットに関連付くものを検出ユニット別（Ｃｈ１、Ｃｈ２）に表示するものである。【００５７】
例えば、キャリブレーション、もしくは精度管理などは検出ユニットごとに行われるため、その要否、実施・未実施に関する情報は検出ユニット別に管理、表示されることになる。【００５８】
本実施例２の免疫分析装置１６が備える試薬ディスク１７では４８箇所の試薬容器保持位置を備えていることから、試薬容器保管部である試薬ディスク１７に保管された試薬容器の保持位置に対応して、試薬管理項目表示領域３９は８行×６列＝４８箇所が表示され、試薬ポジション表示領域３９−１には１から４８までの数字が割り当てられている。残テスト数表示領域３９−２には、残テスト数が表示される。【００５９】
なお、試薬種別選択表示領域、試薬フィルタ表示領域は、実施例１に示した生化学分析装置９の場合と共通の機能を備え、図３に示した選択候補（表１）を表示する。【００６０】
図１０は、実施例２における詳細表示画面（第２画面）を示す図である。図１０において、第２画面では、分析項目別情報表示領域４０に表示される情報のうち、キャリブレーション実施日時（Ｃａｌｉｂ．Ｄａｔｅ）、キャリブレーション方法（Ｃａｌｉｂ．Ｔｙｐｅ）に関しては、第１画面のリコメンド欄３９−４、３９−５（図９参照）と同じく、検出ユニット（Ｃｈ１、Ｃｈ２）毎に分けて表示する。【００６１】
また、組み合わせ試薬情報表示領域４１は、試薬管理項目表示領域３９のテスト名表示領域３９−３に表示される試薬と組み合わせて使用する、別の試薬に関する表示欄であり、実施例２では分析の前処理（Ｐｒｅｔｒｅａｔｍｅｎｔ）のための試薬（Ｒｅａｇｅｎｔ）に関する情報を表示している。【００６２】
組み合わせ試薬情報表示領域４１に表示される情報としては、分析項目名（Ｔｅｓｔ）、組み合わせる相手の試薬の搭載状況（Ｌｉｎｋ  Ｓｔａｔｕｓ）、試薬のシリアル番号（Ｓｅｒｉａｌ  Ｎｏ．）、試薬ポジション（Ｐｏｓｉｔｉｏｎ）などの情報のいずれかが含まれる。【００６３】
本実施例２における他の表示については、実施例１と同様である。【００６４】
本実施例２によれば、実施例１と同様な効果を得ることができる他、表示する試薬の情報として試薬管理項目表示領域３９に表示される試薬の情報に加え、さらに表示された試薬と組み合わせて使用する試薬がある場合の情報についても容易に検索することが可能であり、各分析装置（ＩＳＥ分析装置８、生化学分析装置９、免疫分析装置１６）に搭載している試薬に関する詳細情報を把握することができる。【００６５】
なお、試薬プローブ１２及び検体プローブ１３は、試薬と検体とを反応容器４２に分注するための分注機構と定義することができる。また、試薬プローブ１９及び検体プローブ２０は、試薬と検体とを反応容器４５に分注するための分注機構と定義することができる。
【符号の説明】
【００６６】
１・・・制御用ＰＣ、２・・・モニタ、３・・・検体ラック、４、５・・・検体搬送ライン、５−１、９−１、１６−１・・・コンピュータ、６・・・検体ラック供給部、７・・・検体ラック収納部、８・・・ＩＳＥ分析装置、９・・・生化学分析装置、１０、１７・・・試薬ディスク、１１、１８・・・オートローダ、１２、１９・・・試薬プローブ、１３、２０・・・検体プローブ、１４・・・反応ディスク、１５、２２・・・試薬容器、１６・・・免疫分析装置、２１・・・インキュベータ、２３・・・検出部、２４・・・表示画面名称領域（一覧表示画面）、２５・・・分析モジュール選択表示領域、２５−１・・・分析モジュール選択ボタン、２６・・・試薬種別選択表示領域、２６−１・・・試薬種別選択ボタン、２７・・・試薬フィルタ表示領域、２７−１・・・試薬フィルタ表示領域選択ボタン、２８・・・試薬管理項目表示領域、２８−１、３９−１・・・試薬ポジション表示領域、２８−２・・・試薬残量表示領域、２８−３、３９−３・・・テスト名表示領域、２９・・・排出予定試薬表示領域、３０・・・試薬状況表示、３１・・・表示画面名称（詳細表示画面）、３２・・・分析項目別情報表示領域、３３・・・共通情報表示領域、３４・・・試薬マスク情報詳細表示領域、３５・・・排出試薬選択ボタン、３６・・・試薬マスク選択ボタン、３７・・・画面終了ボタン、３８・・・分析モジュール選択表示領域、３９・・・試薬管理項目表示領域、３９−２・・・残テスト数表示領域、３９−４・・・リコメンド表示領域（Ｃｈ１）、３９−５・・・リコメンド表示領域（Ｃｈ２）、４０・・・分析項目別情報表示領域、４１・・・組み合わせ試薬情報表示領域、４２、４５・・・反応容器、４３・・・光源、４４・・・光度計、４６・・・検体容器
【図１】
2019198445.tif 000003
【図２】
2019198445.tif 000004
【図３】
2019198445.tif 000005
【図４】
2019198445.tif 000006
【図５】
2019198445.tif 000007
【図６】
2019198445.tif 000008
【図７】
2019198445.tif 000009
【図８】
2019198445.tif 000010
【図９】
2019198445.tif 000011
【図１０】
2019198445.tif 000012
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
試薬を収容する複数の試薬容器を保持する試薬容器保管部と、
試薬と検体とを反応容器に分注する分注機構と、
前記反応容器に収容された前記試薬と前記検体との反応液の特性を測定する測定部と、
前記試薬保管部に前記試薬容器を収納し、前記試薬保管部に保持された前記試薬容器を前記試薬容器保管部から排出するオートローダと、
表示部と、
前記試薬容器保管部に保持された複数の前記試薬容器の保持位置情報及び複数の前記試薬容器に収容された試薬の管理情報を記憶し、前記表示部に表示させる制御部と、
を備え、前記制御部は、前記試薬容器保管部に保持された複数の前記試薬容器のそれぞれの保持位置に対応して、複数の前記試薬容器のそれぞれに収容された試薬の管理情報を表示する複数の試薬管理項目表示領域をマトリックス状に配置し、かつ、前記オートローダにより前記試薬容器保管部から排出される予定の試薬を表示する排出予定試薬表示領域を配置した第１画面を前記表示部に表示させることを特徴とする自動分析装置。
【請求項２】
請求項１に記載の自動分析装置において、
前記第１画面で表示された前記複数の試薬管理項目表示領域のそれぞれには、前記試薬容器の保持位置情報を含む複数の表示領域を有することを特徴とする自動分析装置。
【請求項３】
請求項２に記載の自動分析装置において、
前記複数の表示領域は、前記試薬容器の保持位置情報、試薬残量、分析項目名称、試薬の状態に関する情報のうちのいずれかを表示することを特徴とする自動分析装置。
【請求項４】
請求項２に記載の自動分析装置において、
前記管理情報を表示する文字若しくは数字の色、または前記表示領域の背景色を、前記試薬の管理情報に応じて、予め設定した表示色とすることを特徴とする自動分析装置。
【請求項５】
請求項３に記載の自動分析装置において、
前記第１画面は、予め定めた種類の試薬を選択する選択ボタンを有し、前記選択ボタンにより選択された種類の試薬の試薬管理項目表示領域のみ、前記試薬容器の保持位置情報、試薬残量、分析項目名称、試薬の状態に関する情報を表示し、
前記選択ボタンにより選択されていない種類の試薬の試薬管理項目表示領域は、前記試薬容器の保持位置情報に関する情報のみ表示することを特徴とする自動分析装置。
【請求項６】
請求項１から５のうちのいずれか一項に記載の自動分析装置において、
前記第１画面の前記複数の試薬管理項目表示領域のそれぞれは、表示画面切替えのためのボタン機能を有し、前記複数の試薬管理項目表示領域のうちの選択された試薬管理項目表示領域の前記ボタン機能により、前記選択された試薬管理項目表示領域の試薬の詳細情報を表示する第２画面が前記第１画面から切り替り表示されることを特徴とする自動分析装置。
【請求項７】
請求項６に記載の自動分析装置において、
前記第２画面は、前記第１画面の前記ボタン機能により、前記選択された試薬管理項目表示領域の試薬と組み合わせて使用する試薬情報も、表示されることを特徴とする自動分析装置。
【請求項８】
請求項１に記載の自動分析装置において、
前記排出予定試薬表示領域は、ボタン機能を有し、前記排出予定試薬表示領域を前記ボタン機能により選択することにより選択された対象試薬の詳細情報が前記表示部に表示されることを特徴とする自動分析装置。
【請求項９】
請求項１に記載の自動分析装置において、
前記複数の試薬管理項目表示領域のそれぞれは、試薬の状態に関する情報表示領域を有し、前記情報表示領域には、試薬に使用制限がかかっている場合に、制限の理由、あるいは制限解除のためのアクションが表示されることを特徴とする自動分析装置。
【請求項１０】
請求項９に記載の自動分析装置において、
前記情報表示領域には試薬の状態に対して推奨されるアクションが表示されることを特徴とする自動分析装置。
【請求項１１】
請求項９に記載の自動分析装置において、
前記情報表示領域には、前記使用制限の理由として、対象の試薬を使用して行う分析に他の試薬も組み合わせる必要のある場合に、組み合わせる相手の試薬が前記試薬容器保管部に存在しないとき、又は、試薬の使用に当たって必要とされる精度管理試料の測定、あるいは検量線の作成のための標準試料の測定が未実施であるときは、その内容が略記して表示されることを特徴とする自動分析装置。
【請求項１２】
請求項９に記載の自動分析装置において、
前記複数の試薬管理項目表示領域のそれぞれには、前記試薬容器の保持位置情報と試薬残量と分析項目名称とが表示されることを特徴とする自動分析装置。
【請求項１３】
請求項１２に記載の自動分析装置において、
前記第１画面は、予め定めた種類の試薬を選択する試薬フィルタ表示領域を有し、選択された種類の試薬以外の前記試薬管理項目表示領域に示されていた前記試薬残量と前記分析項目名称と前記試薬の状態に関する情報とは非表示とされることを特徴とする自動分析装置。
【請求項１４】
請求項１に記載の自動分析装置において、
前記試薬容器保管部と、前記分注機構と、前記測定部と、前記オートローダとを有する分析装置を複数備え、前記複数の分析装置のそれぞれが保持する試薬の状況を示す試薬状況表示用のアイコンが前記表示部に表示され、前記アイコンは前記複数の分析装置のそれぞれが保持する試薬の状況に応じた表示色が付されることを特徴とする自動分析装置。
【請求項１５】
請求項９に記載の自動分析装置において、
前記複数の試薬管理項目表示領域のそれぞれは、ボタン機能を有しており、前記試薬管理項目表示領域を前記ボタン機能により選択することにより対象試薬の詳細情報が表示され、前記詳細情報が表示された画面には前記使用制限がかかっている試薬に関して制限の詳細内容を表示する試薬マスク情報詳細表示領域を有することを特徴とする自動分析装置。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
試薬を収容する複数の試薬容器を保持する試薬容器保管部と、
試薬と検体とを反応容器に分注する分注機構と、
前記反応容器に収容された前記試薬と前記検体との反応液の特性を測定する測定部と、
前記試薬保管部に前記試薬容器を収納し、前記試薬保管部に保持された前記試薬容器を前記試薬容器保管部から排出するオートローダと、
表示部と、
前記試薬容器保管部に保持された複数の前記試薬容器の保持位置情報及び複数の前記試薬容器に収容された試薬の管理情報を記憶し、前記表示部に表示させる制御部と、
を備え、前記制御部は、前記試薬容器保管部に保持された複数の前記試薬容器のそれぞれの保持位置に対応して、複数の前記試薬容器のそれぞれに収容された試薬の管理情報を表示する複数の試薬管理項目表示領域をマトリックス状に配置し、かつ、前記オートローダで排出される予定の試薬を表示する、前記オートローダの試薬容器収納数分の表示領域を表示する排出予定試薬表示領域を配置した第１画面を前記表示部に表示させることを特徴とする自動分析装置。
【請求項２】
請求項１に記載の自動分析装置において、
前記第１画面で表示された前記複数の試薬管理項目表示領域のそれぞれには、前記試薬容器の保持位置情報を含む複数の表示領域を有することを特徴とする自動分析装置。
【請求項３】
請求項２に記載の自動分析装置において、
前記複数の表示領域は、前記試薬容器の保持位置情報、試薬残量、分析項目名称、試薬の状態に関する情報のうちのいずれかを表示することを特徴とする自動分析装置。
【請求項４】
請求項２に記載の自動分析装置において、
前記管理情報を表示する文字若しくは数字の色、または前記表示領域の背景色を、前記試薬の管理情報に応じて、予め設定した表示色とすることを特徴とする自動分析装置。
【請求項５】
請求項３に記載の自動分析装置において、
前記第１画面は、予め定めた種類の試薬を選択する選択ボタンを有し、前記選択ボタンにより選択された種類の試薬の試薬管理項目表示領域のみ、前記試薬容器の保持位置情報、試薬残量、分析項目名称、試薬の状態に関する情報を表示し、
前記選択ボタンにより選択されていない種類の試薬の試薬管理項目表示領域は、前記試薬容器の保持位置情報に関する情報のみ表示することを特徴とする自動分析装置。
【請求項６】
請求項１から５のうちのいずれか一項に記載の自動分析装置において、
前記第１画面の前記複数の試薬管理項目表示領域のそれぞれは、表示画面切替えのためのボタン機能を有し、前記複数の試薬管理項目表示領域のうちの選択された試薬管理項目表示領域の前記ボタン機能により、前記選択された試薬管理項目表示領域の試薬の詳細情報を表示する第２画面が前記第１画面から切り替り表示されることを特徴とする自動分析装置。
【請求項７】
請求項６に記載の自動分析装置において、
前記第２画面は、前記第１画面の前記ボタン機能により、前記選択された試薬管理項目表示領域の試薬と組み合わせて使用する試薬情報も、表示されることを特徴とする自動分析装置。
【請求項８】
請求項１に記載の自動分析装置において、
前記排出予定試薬表示領域は、ボタン機能を有し、前記排出予定試薬表示領域を前記ボタン機能により選択することにより選択された対象試薬の詳細情報が前記表示部に表示されることを特徴とする自動分析装置。
【請求項９】
請求項１に記載の自動分析装置において、
前記複数の試薬管理項目表示領域のそれぞれは、試薬の状態に関する情報表示領域を有し、前記情報表示領域には、試薬に使用制限がかかっている場合に、制限の理由、あるいは制限解除のためのアクションが表示されることを特徴とする自動分析装置。
【請求項１０】
請求項９に記載の自動分析装置において、
前記情報表示領域には試薬の状態に対して推奨されるアクションが表示されることを特徴とする自動分析装置。
【請求項１１】
請求項９に記載の自動分析装置において、
前記情報表示領域には、前記使用制限の理由として、対象の試薬を使用して行う分析に他の試薬も組み合わせる必要のある場合に、組み合わせる相手の試薬が前記試薬容器保管部に存在しないとき、又は、試薬の使用に当たって必要とされる精度管理試料の測定、あるいは検量線の作成のための標準試料の測定が未実施であるときは、その内容が略記して表示されることを特徴とする自動分析装置。
【請求項１２】
請求項９に記載の自動分析装置において、
前記複数の試薬管理項目表示領域のそれぞれには、前記試薬容器の保持位置情報と試薬残量と分析項目名称とが表示されることを特徴とする自動分析装置。
【請求項１３】
請求項１２に記載の自動分析装置において、
前記第１画面は、予め定めた種類の試薬を選択する試薬フィルタ表示領域を有し、選択された種類の試薬以外の前記試薬管理項目表示領域に示されていた前記試薬残量と前記分析項目名称と前記試薬の状態に関する情報とは非表示とされることを特徴とする自動分析装置。
【請求項１４】
請求項１に記載の自動分析装置において、
前記試薬容器保管部と、前記分注機構と、前記測定部と、前記オートローダとを有する分析装置を複数備え、前記複数の分析装置のそれぞれが保持する試薬の状況を示す試薬状況表示用のアイコンが前記表示部に表示され、前記アイコンは前記複数の分析装置のそれぞれが保持する試薬の状況に応じた表示色が付されることを特徴とする自動分析装置。
【請求項１５】
請求項９に記載の自動分析装置において、
前記複数の試薬管理項目表示領域のそれぞれは、ボタン機能を有しており、前記試薬管理項目表示領域を前記ボタン機能により選択することにより対象試薬の詳細情報が表示され、前記詳細情報が表示された画面には前記使用制限がかかっている試薬に関して制限の詳細内容を表示する試薬マスク情報詳細表示領域を有することを特徴とする自動分析装置。
【請求項１６】
請求項１に記載の自動分析装置において、
前記試薬容器収納数分の表示領域には、前記オートローダに収納された試薬容器に対応する試薬のテスト名が表示され、前記オートローダに収納中の試薬が無い場合にはテスト名は空欄であることを特徴とする自動分析装置。
【請求項１７】
請求項１に記載の自動分析装置において、
前記オートローダは複数の試薬容器を収納可能であり、前記試薬容器収納数分の表示領域には前記オートローダの試薬ポジションが表示されていることを特徴とする自動分析装置。
【国際調査報告】
2019198445.tif 000013
2019198445.tif 000014
2019198445.tif 000015
2019198445.tif 000016